(57)【要約】【課題】  顔面の一部又は全部を覆うと共に両側部にそれぞれ一つの開口が形成された面体と、面体に空気を供給する電動ファンと面体内圧を検知する圧力センサーと圧力センサーの検知信号に基づいて電動ファンの作動を制御する制御装置とを収容するファンユニットと、面体に供給される空気を浄化するフィルターと、吸気弁と排気弁とを備える呼吸用保護具であって、フィルターの消耗が抑制された呼吸用保護具を提供する。【解決手段】  顔面の一部又は全部を覆うと共に両側部にそれぞれ一つの開口が形成された面体と、面体に空気を供給する電動ファンと面体内圧を検知する圧力センサーと圧力センサーの検知信号に基づいて電動ファンの作動を制御する制御装置とを収容するファンユニットと、面体に供給される空気を浄化するフィルターと、吸気弁と排気弁とを備える呼吸用保護具であって、面体の両側部にそれぞれ一つ形成された開口の一方に陽圧排気弁が取り付けられ、他方に伝声器又は陽圧排気弁が取り付けられている。【選択図】  図１
2014161356.tif 000002
【特許請求の範囲】
【請求項１】
顔面の一部又は全部を覆うと共に両側部にそれぞれ一つの開口が形成された面体と、面体に空気を供給する電動ファンと面体内圧を検知する圧力センサーと圧力センサーの検知信号に基づいて電動ファンの作動を制御する制御装置とを収容するファンユニットと、面体に供給される空気を浄化するフィルターと、吸気弁と排気弁とを備える呼吸用保護具であって、面体の両側部にそれぞれ一つ形成された開口の一方に陽圧排気弁が取り付けられ、他方に伝声器又は陽圧排気弁が取り付けられていることを特徴とする呼吸用保護具。
【発明の詳細な説明】
【技術分野】
【０００１】
本発明は、顔面の一部又は全部を覆うと共に両側部にそれぞれ一つの開口が形成された面体と、面体に空気を供給する電動ファンと面体内圧を検知する圧力センサーと圧力センサーの検知信号に基づいて電動ファンの作動を制御する制御装置とを収容するファンユニットと、面体に供給される空気を浄化するフィルターと、吸気弁と排気弁とを備える呼吸用保護具に関するものである。
【背景技術】
【０００２】
顔面の一部又は全部を覆うと共に両側部にそれぞれ一つの開口が形成された面体と、面体に空気を供給する電動ファンと面体内圧を検知する圧力センサーと圧力センサーの検知信号に基づいて電動ファンの作動を制御する制御装置とを収容するファンユニットと、面体に供給される空気を浄化するフィルターと、吸気弁と排気弁とを備える呼吸用保護具であって、面体の両側部にそれぞれ一つ形成された開口の両方に排気弁が取り付けられた呼吸用保護具が特許文献１に開示されている。
特許文献１の呼吸用保護具が備える排気弁は、円環状の弁座と、周縁部が弁座に当接し、中央部が支持腕に固定された円形ゴム膜から成る弁体を備えたゴム製弁として構成されている。
特許文献１の呼吸用保護具においては、面体内圧の変動に基づいて制御装置が吸気と呼気とを判断し、吸気時には電動ファンを作動させ、呼気時には電動ファンを停止させ或いは電動ファンの回転数を低下させる。
【先行技術文献】
【特許文献】
【０００３】
【特許文献１】特開２０１１−０７８６０４
【発明の概要】
【発明が解決しようとする課題】
【０００４】
特許文献１に開示された呼吸用保護具には、一対の排気弁を有し且つ当該排気弁が開弁圧の低いゴム製弁なので、呼気が容易に行えるという利点がある一方、面体内空気が排気弁を介して外部環境に排出され易いので、吸気時の排気弁を介する面体からの空気漏れを補償するために吸気時にファンの回転数が過度に上昇し、或いは吸気から呼気への移行時に面体内圧の上昇が遅れて電動ファンを停止させ或いは電動ファンの回転数を低下させるタイミングが遅れ、不要の空気がフィルターを通過して、フィルターを通過する空気量が増加し、フィルターの消耗が早まるという問題点もある。
本発明は、上記問題に鑑みてなされたものであり、顔面の一部又は全部を覆うと共に両側部にそれぞれ一つの開口が形成された面体と、面体に空気を供給する電動ファンと面体内圧を検知する圧力センサーと圧力センサーの検知信号に基づいて電動ファンの作動を制御する制御装置とを収容するファンユニットと、面体に供給される空気を浄化するフィルターと、吸気弁と排気弁とを備える呼吸用保護具であって、フィルターの消耗が抑制された呼吸用保護具を提供することを目的とする。
【課題を解決するための手段】
【０００５】
上記課題を解決するために、本発明においては、顔面の一部又は全部を覆うと共に両側部にそれぞれ一つの開口が形成された面体と、面体に空気を供給する電動ファンと面体内圧を検知する圧力センサーと圧力センサーの検知信号に基づいて電動ファンの作動を制御する制御装置とを収容するファンユニットと、面体に供給される空気を浄化するフィルターと、吸気弁と排気弁とを備える呼吸用保護具であって、面体の両側部にそれぞれ一つ形成された開口の一方に陽圧排気弁が取り付けられ、他方に伝声器又は陽圧排気弁が取り付けられていることを特徴とする呼吸用保護具を提供する。
【０００６】
本発明に係る呼吸用保護具においては、開弁圧がゴム製弁に比べて高くゴム製弁に比べて開弁し難い陽圧排気弁を採用しており、面体内空気が排気弁を介して外部環境に排出され難い。この結果、本発明に係る呼吸用保護具においては、吸気時の排気弁を介する面体からの空気漏れが抑制されて吸気時にファンの回転数が適正化され、吸気から呼気への移行時に面体内圧の上昇が迅速化されて電動ファンを停止させ或いは電動ファンの回転数を低下させるタイミングが早まり不要空気のフィルター通過が抑制されて、使用時のフィルターを通過する空気量が減少する。従って、本発明に係る呼吸用保護具においては、排気弁をゴム製弁とする場合に比べて呼気の容易性は若干低下するがフィルターの消耗は抑制される。
面体の両側部にそれぞれ一つ形成された開口の両方に陽圧排気弁を取り付けても良く、一方の開口に陽圧排気弁を取り付け他方の開口に伝声器を取り付けても良い。
面体の両側部にそれぞれ一つ形成された開口の両方に陽圧排気弁を取り付けることによりフィルターの消耗は抑制されるが、一方の開口に陽圧排気弁を取り付け他方の開口に排気機能を有さない伝声器を取り付けることによりフィルターの消耗は更に抑制される。他方の開口を単に塞ぐのではなく伝声器の取り付け穴として有効利用することができる。
【図面の簡単な説明】
【０００７】
【図１】本発明の実施例に係る呼吸用保護具の正面図である。（ａ）は完成状態の正面図であり、（ｂ）は排気弁を分解斜視図で示した正面図である。
【図２】本発明の実施例に係る呼吸用保護具が備える排気弁の断面図である。（ａ）は閉弁状態を示し、（ｂ）は開弁状態を示す。
【発明を実施するための形態】
【０００８】
本発明の実施例に係る呼吸用保護具を説明する。
図１に示すように、呼吸用保護具Ａは、使用者の顔面全体を覆う面体１と、面体１に空気を供給する図示しない電動ファンと面体内圧を検知するダイアフラムと磁気センサー或いは光センサーとを使用した圧力センサー２ａと圧力センサー２ａの検知信号に基づいて電動ファンの作動を制御する図示しない制御装置とを収容し面体１の前面に着脱可能に取り付けられたファンユニット２と、ファンユニット２の前面に着脱可能に取り付けられて面体１に供給される空気を浄化するフィルター３と、面体１に着脱可能に取り付けられて使用者の鼻と口とを覆う図示しないノーズカップと、ノーズカップに取り付けられてファンユニット２の図示しない空気吐出口に連通する図示しない吸気弁と、面体１の一方の側部に取り付けられてノーズカップの内部空間に連通する排気弁４と、面体１の他方の側部に取り付けられてノーズカップの内部空間に連通する伝声器５と、面体１を使用者の頭部に固定する締め紐６とを備えている。ファンユニット２の圧力センサー収容空間はノーズカップの内部空間に連通している。
排気弁４は、従来から主としてプレッシャデマンド形呼吸用保護具に使用されてきた陽圧排気弁であり、図１ｂと図２とに示すように、円環状の弁座４ａ’を有し面体１の一方の側部に形成された図示しない開口に嵌合固定された円筒状の弁座形成体４ａと、弁座形成体４ａの中央開口内に配設されて弁座形成体４ａと同軸に延在する筒体４ｂと、弁座形成体４ａの内周面から延びて筒体４ｂを支持する複数の腕部材４ｃと、周縁部が弁座４ａ’に当接可能な硬質円板体４ｄ’と硬質円板体４ｄ’の一方の端面の中心から当該端面に直交して延びる軸部４ｄ”とを有し軸部４ｄ”を筒体４ｂに挿通させた弁体４ｄと、一端を弁体４ｄの他方の端面に係合させ弁体４ｄを弁座４ａ’へ向けて付勢するコイルバネ４ｅと、弁座形成体４ａに係止してコイルバネ４ｅの他端に係合し、コイルバネ４ｅを保持するコイルバネ保持具４ｆと、弁座形成体４ａに係止してコイルバネ保持具４ｆを覆う円錐筒状の排気弁カバー４ｇとを備えている。
伝声器５は、面体１の他方の側部に形成された図示しない開口に嵌合固定されている。
【０００９】
呼吸用保護具Ａにおいては、ファンユニット２に収容された図示しない電動ファンが作動し、フィルター３を通過して浄化された空気が、ファンユニット２の空気吐出口と吸気弁とを介してノーズカップ内に流入し、呼吸用保護具Ａの使用者の吸気となる。前記使用者の呼気は排気弁４を通って面体１外へ排出される。
前記使用者の呼吸に応じて面体１の内圧が、より具体的にはノーズカップの内圧が変動し、ファンユニット２の圧力センサー収容空間の内圧が変動し、圧力センサー２ａのダイアフラムが変位し、当該変位を磁気センサ或いは光センサが検知し、検知信号を制御装置に送信する。制御装置は、圧力センサー収容空間の内圧変動に応じてファンの作動を制御する。呼吸用保護具Ａ使用者の呼吸が吸気の時に電動ファンが作動して面体１に、より具体的にはノーズカップに、給気し、吸装置Ａ使用者の呼吸が呼気の時に電動ファンが停止し或いは電動ファンの回転数が低下する。この結果、面体１の内圧が常時適正な正圧に維持されると共に、電動ファンの作動が適正化されて、電動ファン用電池の耐用期間が延長される。
呼吸用保護具Ａにおいては、単一の排気弁４が配設され、且つ排気弁４は、開弁圧が従来のゴム製弁に比べて高くゴム製弁に比べて開弁し難い陽圧排気弁なので、面体１内の空気が排気弁４を介して外部環境に排出され難い。この結果、呼吸用保護具Ａにおいては、吸気時の排気弁４を介する面体１からの空気漏れが抑制されて吸気時にファンの回転数が適正化され、吸気から呼気への移行時に面体内圧の上昇が迅速化されて電動ファンを停止させ或いは電動ファンの回転数を低下させるタイミングが早まり不要空気がフィルター３を通過するのが抑制されて、使用時のフィルター３を通過する空気量が減少する。従って、呼吸用保護具Ａにおいては、一対の排気弁を配設し且つ当該排気弁をゴム製弁とする場合に比べて呼気の容易性は若干低下するがフィルター３の消耗は抑制される。面体１の他方の側部に形成された他方の開口を単に塞ぐのではなく伝声器５の取り付け穴として有効利用することができる。
上記実施例では、面体の両側部にそれぞれ一つ形成された開口の一方に陽圧排気弁４を取り付け他方に排気機能を有さない伝声器５を取り付けたが、面体の両側部にそれぞれ一つ形成された開口の両方に陽圧排気弁４を取り付けても良い。面体の両側部にそれぞれ一つ形成された開口の両方に陽圧排気弁を取り付けた場合でも一対の排気弁を配設し且つ当該排気弁をゴム製弁とする場合に比べてフィルター３の消耗は抑制される。
上記実施例では、面体１は使用者の顔面全体を覆う全面型の面体であったが、面体１は使用者の鼻と口とを覆う半面型の面体であっても良い。
陽圧排気弁の構造は上記実施例のものに限定されない。従来のゴム製弁から成る排気弁に比べて開弁圧が高いものであれば良い。
フィルター３は防塵用フィルターでも良く、防毒用フィルターでも良い。
【産業上の利用可能性】
【００１０】
本発明は、顔面の一部又は全部を覆うと共に両側部にそれぞれ一つの開口が形成された面体と、面体に空気を供給する電動ファンと面体内圧を検知する圧力センサーと圧力センサーの検知信号に基づいて電動ファンの作動を制御する制御装置とを収容するファンユニットと、面体に供給される空気を浄化するフィルターと、吸気弁と排気弁とを備える呼吸用保護具に広く利用可能である。
【符号の説明】
【００１１】
Ａ  呼吸用保護具
１  面体
２  ファンユニット
３  フィルター
４  排気弁
５  伝声器
６  締め紐
【図１】
2014161356.tif 000003
【図２】
2014161356.tif 000004